(57)【特許請求の範囲】
【請求項１】
機械室の開口を閉塞する態様で着脱可能に設けられ、かつ前記機械室に配設された冷凍機器に対して外気を供給するための複数の通風孔が通風領域に形成されたキックプレートにおいて、
前記通風領域の近傍に形成され、かつ前記冷凍機器を構成する凝縮器の目詰まりを抑制するための凝縮器用フィルタの一部を挿入させる切欠部と、
前記通風孔と前記凝縮器との間にて前記切欠部を通じて挿入された前記凝縮器用フィルタのフィルタ本体部を支持する支持部と
を備え、
前記支持部は、前記凝縮器用フィルタを、前記切欠部から挿入されるに連れて該支持部の一部に接触させて湾曲するように撓ませ、その後に該凝縮器用フィルタの弾性復元力により復元して前記フィルタ本体部が前記キックプレートの後面に接するように支持するものであり、
前記切欠部の一縁部は、前記支持部が前記フィルタ本体部を支持する場合に、前記凝縮器用フィルタの構成要素と当接することを特徴とするキックプレート。
【請求項２】
前記切欠部の一縁部は、前記支持部が前記フィルタ本体部を支持する場合に、該フィルタ本体部の一端縁部に取り付けられたフィルタ取付金と当接することを特徴とする請求項１に記載のキックプレート。
【請求項３】
前記フィルタ取付金は、前記凝縮器用フィルタの把手となる把手部とで前記フィルタ本体部の上端縁部を挟み込むように取り付けられ、かつ自身の厚み方向に沿って曲げ加工が施された曲部分を有しており、
前記切欠部は、前記フィルタ本体部とともに、前記把手部の一部及び前記フィルタ本体部の一部の挿入を許容し、かつ前記支持部が前記フィルタ本体部を支持する場合に、下縁部が前記フィルタ本体部の曲部分と当接することを特徴とする請求項２に記載のキックプレート。
【請求項４】
前記切欠部は、前記通風領域の上方側に形成されており、
前記通風領域を含む前面は、上方に向かうに連れて漸次前方に傾斜する態様で形成されていることを特徴とする請求項１〜３のいずれか１つに記載のキックプレート。
【発明の詳細な説明】
【技術分野】
【０００１】
本発明は、キックプレートに関し、より詳細には、収納対象となる商品を所望の温度状態に保持するショーケースに適用されるキックプレートに関するものである。
【背景技術】
【０００２】
従来、収納対象となる商品を所望の温度状態に保持するショーケースとして、次のようなものが知られている。前面に開口が形成されたケース本体の収納室に、複数の商品載置棚が上下方向に沿って複数段設けられており、それぞれの商品載置棚における棚板に商品が載置されている。また、ケース本体内であって収納室外となる個所には、吸込口を通じて吸い込こまれた収納室内の空気が通過する空気通路が形成されており、この空気通路には蒸発器が配設されている。該空気通路を通過する空気は、蒸発器で冷却され、その後に収納室の上部に設けられた吹出口より吹き出される。吹出口から吹き出された空気が吸込口に吸い込まれて循環することにより、商品載置棚に載置された商品が所望の温度に調整されて保持される。
【０００３】
このようなショーケースには、ケース本体において収納室の下部に機械室が形成されている。機械室は、前面に開口が形成されており、その内部には上記蒸発器とともに冷凍サイクルを構成する圧縮機や凝縮器等の冷凍機器が配設されている。また機械室の前面開口は、キックプレートにより閉塞されている。このキックプレートは、ケース本体に着脱可能に配設されており、冷凍機器に対して外気を供給するための複数の通風孔が形成されている。
【０００４】
そして、凝縮器は、上面及び左右両側面がファンケースに囲繞されており、該凝縮器の前方側には、上記通風孔を通過する外気の塵埃物を捕獲するための凝縮器用フィルタがファンケースに支持されている。これにより凝縮器の目詰まりを抑制することができる（例えば、特許文献１参照）。
【先行技術文献】
【特許文献】
【０００５】
【特許文献１】特開２００３−２４０４１０号公報
【発明の概要】
【発明が解決しようとする課題】
【０００６】
ところで、上述した特許文献１に提案されているショーケースでは、凝縮器用フィルタはファンケースに支持されていて、機械室の前面開口はキックプレートに閉塞されていたので、凝縮器用フィルタを清掃若しくは交換等する場合にはキックプレートを取り外す必要があった。
【０００７】
キックプレートは、ネジ等の締結部材を用いて機械室の前面開口を閉塞する態様でケース本体に取り付けられているので、キックプレートを取り出すためには締結部材による締結を解除する必要があり、結果的にキックプレートを取り外すことが煩雑であった。
【０００８】
そのため、実際の運用においては、キックプレートの取り出しが煩雑であるために凝縮器用フィルタの清掃頻度が低くなってしまい、これにより凝縮器の周囲を通過する空気の低減を招来し、冷凍機器の運転効率が低下してしまう虞れがあった。
【０００９】
本発明は、上記実情に鑑みて、凝縮器用フィルタの清掃頻度の向上を図ることで、冷凍機器の運転効率の向上を図ることができるキックプレートを提供することを目的とする。
【課題を解決するための手段】
【００１０】
上記目的を達成するために、本発明に係るキックプレートは、機械室の開口を閉塞する態様で着脱可能に設けられ、かつ前記機械室に配設された冷凍機器に対して外気を供給するための複数の通風孔が通風領域に形成されたキックプレートにおいて、前記通風領域の近傍に形成され、かつ前記冷凍機器を構成する凝縮器の目詰まりを抑制するための凝縮器用フィルタの一部を挿入させる切欠部と、前記通風孔と前記凝縮器との間にて前記切欠部を通じて挿入された前記凝縮器用フィルタのフィルタ本体部を支持する支持部とを備え、前記切欠部の一縁部は、前記支持部が前記フィルタ本体部を支持する場合に、前記凝縮器用フィルタの構成要素と当接することを特徴とする。
【００１１】
また本発明は、上記キックプレートにおいて、前記切欠部の一縁部は、前記支持部が前記フィルタ本体部を支持する場合に、該フィルタ本体部の一端縁部に取り付けられたフィルタ取付金と当接することを特徴とする。
【００１２】
また本発明は、上記キックプレートにおいて、前記フィルタ取付金は、前記凝縮器用フィルタの把手となる把手部とで前記フィルタ本体部の上端縁部を挟み込むように取り付けられ、かつ自身の厚み方向に沿って曲げ加工が施された曲部分を有しており、前記切欠部は、前記フィルタ本体部とともに、前記把手部の一部及び前記フィルタ本体部の一部の挿入を許容し、かつ前記支持部が前記フィルタ本体部を支持する場合に、下縁部が前記フィルタ本体部の曲部分と当接することを特徴とする。
【００１３】
また本発明は、上記キックプレートにおいて、前記切欠部は、前記通風領域の上方側に形成されており、前記通風領域を含む前面は、上方に向かうに連れて漸次前方に傾斜する態様で形成されていることを特徴とする。
【発明の効果】
【００１４】
本発明によれば、通風領域の近傍に形成された切欠部が、凝縮器用フィルタを挿入させ、支持部が、通風孔と凝縮器との間にて切欠部を通じて挿入された凝縮器用フィルタのフィルタ本体部を支持するので、キックプレートを取り外すことなく、凝縮器用フィルタの着脱を容易に行うことができる。そのため、凝縮器用フィルタの清掃頻度の向上を図ることができ、冷凍機器の運転効率の向上を図ることができるという効果を奏する。
【００１５】
特に、切欠部の一縁部は、支持部がフィルタ本体部を支持する場合に、凝縮器用フィルタの構成要素に当接するので、キックプレートと凝縮器用フィルタの構成要素との接触音により凝縮器用フィルタが取り付けられたことを判断させることができるという効果を奏する。
【図面の簡単な説明】
【００１６】
【図１】図１は、本発明の実施の形態であるキックプレートが適用されたショーケースの断面側面図である。
【図２】図２は、図１に示した吹出口を拡大して示す説明図である。
【図３】図３は、図１に示したキックプレートを前方側から見た斜視図である。
【図４】図４は、図１に示したキックプレートを後方側から見た斜視図である。
【図５】図５は、凝縮器用フィルタを前方側から見た斜視図である。
【図６】図６は、凝縮器用フィルタを後方側から見た斜視図である。
【図７】図７は、図５及び図６に示したフィルタ取付金を示す斜視図である。
【図８】図８は、凝縮器用フィルタをキックプレートに取り付ける状態を示す説明図である。
【図９】図９は、凝縮器用フィルタをキックプレートに取り付ける状態を示す説明図である。
【図１０】図１０は、凝縮器用フィルタを取り付けたキックプレートの斜視図である。
【図１１】図１１は、ドレン水処理装置を前方から見た場合を示す斜視図である。
【図１２】図１２は、ドレン水処理装置の左側面図である。
【図１３】図１３は、ドレン水処理装置の背面図である。
【図１４】図１４は、図１１〜図１３に示した解除羽根部を示す斜視図である。
【図１５】図１５は、図１１〜図１３に示した解除支持部を示す斜視図である。
【図１６】図１６は、ドレン水処理装置を前方から見た場合を示す斜視図である。
【図１７】図１７は、ドレン水処理装置の左側面図である。
【図１８】図１８は、ドレン水処理装置の背面図である。
【図１９】図１９は、解除羽根部の動作を示す説明図である。
【図２０】図２０は、解除羽根部の動作を示す説明図である。
【図２１】図２１は、吹出口の変形例を示す説明図である。
【図２２】図２２は、本発明の実施の形態であるキックプレートの変形例を示す説明図である。
【図２３】図２３は、本発明の実施の形態であるキックプレートの変形例を示す説明図である。
【発明を実施するための形態】
【００１７】
以下に添付図面を参照して、本発明に係るキックプレートの好適な実施の形態について詳細に説明する。
【００１８】
図１は、本発明の実施の形態であるキックプレートが適用されたショーケースの断面側面図である。ここで例示するショーケースは、ケース本体１０を備えている。
【００１９】
ケース本体１０は、略直方状の筐体であり、断熱構造を有する収容室１０ａと、該収容室１０ａの下方域に設けられた機械室１０ｂとが設けられている。収容室１０ａは、前面開口１１が形成され、その内部には収納室１２が画成されているとともに、空気循環手段２０が設けられている。
【００２０】
収納室１２は、上記前面開口１１を臨む態様で画成された室であり、複数の商品陳列棚１３が上下方向に沿って複数段並べて配設されている。
【００２１】
空気循環手段２０は、空気通路２１と循環ファン２２とを備えて構成されている。空気通路２１は、吸込口２３から吹出口２４に至る空気の通路である。ここで吸込口２３は、収納室１２の内部の空気を吸い込むための開口であり、収納室１２の左右方向に沿って延設されている。この吸込口２３は、収納室１２の下側前方縁部、すなわちケース本体１０の前面開口１１近傍の下部に配設されている。
【００２２】
吹出口２４は、収納室１２の内部に空気を吹き出すための開口である。この吹出口２４は、収納室１２の左右方向に沿って延設してあり、次のような構成を有する。
【００２３】
吹出口２４は、支持部材２４１（図２参照）と整流部材２４２とを備えている。支持部材２４１は、例えば鋼板等により形成される前後一対となるものであり、収納室１２の上側前方縁部、すなわちケース本体１０の前面開口１１近傍の上部に形成された吹出開口部２４ａに取り付けられている。
【００２４】
整流部材２４２は、例えば軟質な樹脂材料から形成されるもので、図には明示しないが細孔がハニカム状に配設されてハニカム構造を有するものである。この整流部材２４２は、左右方向が長手方向となる長尺状のものであり、側方から見た場合に台形状を成している。つまり、整流部材２４２は、前面の上下長さが、後面の上下長さよりも大きいものである。
【００２５】
このような整流部材２４２の前面には、図２に示すように、例えば樹脂材から形成される前面補強用シート体２４３が貼付されている。この前面補強用シート体２４３は、整流部材２４２の前面の略全域を覆うように貼付されており、その表面に全長に亘ってマグネット部材２４４が取り付けられている。尚、本実施の形態では、マグネット部材２４４が全長に亘って取り付けられているが、本発明においては、前面補強用シート体２４３の全長に亘って複数のマグネット部材が所定間隔毎に取り付けられていてもよい。
【００２６】
また、整流部材２４２の後面には、図２に示すように、例えば樹脂材から形成される後面補強用シート体２４５が貼付されている。この後面補強用シート体２４５は、整流部材２４２の後面の略全域を覆うとともに、該整流部材２４２の後面の下端より下方に延在する下延部分２４５ａを有している。
【００２７】
このような整流部材２４２は、マグネット部材２４４が磁力により前側の支持部材２４１ａに吸着されることで前面補強用シート体２４３が該支持部材２４１に接しており、後面補強用シート体２４５が後側の支持部材２４１ｂに接することで、これら支持部材２４１に挟持される態様で支持されている。このとき、後面補強用シート体２４５の下延部分２４５ａは、後側の支持部材２４１ｂよりも下方で垂下状態となっており、これにより整流部材２４２は、下延部分２４５ａが垂下状態となるようで支持部材２４１に支持されている。
【００２８】
このようにして整流部材２４２が支持部材２４１に支持されることで、該整流部材２４２に形成された細孔のそれぞれが空気の通風路となって吹出口２４が構成されている。
【００２９】
このような空気通路２１は、収納室１２の外部であってその下方にある下方ダクト２１ａと、収納室１２の外部であってその背面側にある背面ダクト２１ｂと、収納室１２の外部であってその上方にある上方ダクト２１ｃとを互いに連通した態様で構成されている。
【００３０】
循環ファン２２は、空気を循環させるものであり、下方ダクト２１ａの所定部位に配設されている。本実施の形態においては、循環ファン２２は、下方ダクト２１ａの所定部位に配設されているが、本発明では、循環ファン２２の配設部位は特に限定されるものではなく、循環ファン２２の機能を発揮することができる個所であればどの部位に配設しても構わない。
【００３１】
このような空気循環手段２０においては、循環ファン２２が駆動することにより吸込口２３を通じて収納室１２の内部にある空気を吸い込み、吸い込んだ空気が空気通路２１を通過する態様で吹出口２４まで送出し、吹出口２４を通じて空気を収納室１２の内部に吹き出させることにより、収納室１２の内部と外部との間で空気を循環させるものである。
【００３２】
上記空気通路２１の背面ダクト２１ｂには、蒸発器２５が設けられている。蒸発器２５は、機械室１０ｂに配設された図示せぬ圧縮機や凝縮器２６（図８及び図９参照）等の冷凍機器とともに冷媒を循環させる冷媒循環手段を構成している。ここで圧縮機は、冷媒を圧縮するものであり、凝縮器２６は、圧縮機で圧縮された冷媒を凝縮させるものである。この凝縮器２６で凝縮した冷媒は、膨張弁で断熱膨張されて低温低圧の状態にされる。また、凝縮器２６の後方側には庫外送風ファン２７（図８及び図９参照）が設けられている。
【００３３】
蒸発器２５は、循環ファン２２が駆動することにより背面ダクト２１ｂを下方から上方に向けて通過する空気と、膨張弁で断熱膨張された冷媒とを熱交換させるもの、より詳細には、冷媒を蒸発させることにより背面ダクト２１ｂ（空気通路２１）を通過する空気を冷却するものである。この蒸発器２５で蒸発した冷媒は、再び圧縮機に戻り圧縮されることになる。
【００３４】
機械室１０ｂは、収容室１０ａの下方域に設けられており、後方と左右が閉塞されている。この機械室１０ｂの前面には開口３０が形成されており、かかる開口３０はキックプレート４０により閉塞されている。このキックプレート４０について後述する。
【００３５】
上記機械室１０ｂには、排出ダクト３１が連通している。排出ダクト３１は、空気通路２１の背面ダクト２１ｂの背面側において該背面ダクト２１ｂとは区画されて設けられており、上下方向に沿って連通している。この排出ダクト３１は、下部に排気導入口３２が形成されており、上部に排出口３３が形成されている。排気導入口３２は、機械室１０ｂに連通する開口である。排出口３３は、排出ダクト３１を通過した空気を外部に排出するための開口である。
【００３６】
図３及び図４は、それぞれ図１に示したキックプレート４０を示すものであり、図３は前方側から見た斜視図であり、図４は後方側から見た斜視図である。
【００３７】
これら図３及び図４に示すように、キックプレート４０は、通風孔４１、切欠部４２及び支持部４３を備えて構成してある。
【００３８】
通風孔４１は、キックプレート４０における通風領域４０ａに複数形成されている。通風領域４０ａは、凝縮器２６の前方側に位置する領域であり、より詳細には凝縮器２６に対向する領域である。通風孔４１は、それぞれ庫外送風ファン２７が駆動することにより、外気を凝縮器２６等に供給するためのものである。
【００３９】
切欠部４２は、通風領域４０ａの上方部分に形成され、左右方向が長手方向となる長尺状のものである。支持部４３は、キックプレート４０の後面より後方に向けて突出する態様で形成されており、切欠部４２を通じて挿入された凝縮器用フィルタ５０を支持するためのものである。この支持部４３は、左右一対のものであり、支持左側部４３１と支持右側部４３２とを有している。支持左側部４３１は、キックプレート４０の後面において切欠部４２の左方側に形成されており、後方に向けて延在する左側後延部４３１ａと、該左側後延部４３１ａの延在端部より右方に向けて延在する左側右延部４３１ｂとが一体的に形成されて構成されている。
【００４０】
支持右側部４３２は、キックプレート４０の後面において切欠部４２の右方側に形成されており、後方に向けて延在する右側後延部４３２ａと、該右側後延部４３２ａの延在端部より左方に向けて延在する右側左延部４３２ｂとが一体的に形成されて構成されている。
【００４１】
これら支持部４３においては、支持左側部４３１の左側後延部４３１ａと、支持右側部４３２の右側後延部４３２ａとの離間距離は、凝縮器用フィルタ５０の左右幅よりも大きいものであり、支持左側部４３１の左側右延部４３１ｂと、支持右側部４３２の右側左延部４３２ｂとの離間距離は、凝縮器用フィルタ５０の左右幅よりも小さいものである。また、支持部４３は、キックプレート４０の下端部を後方に屈曲されることにより構成された支持片４４に載置されている。
【００４２】
このような構成を有するキックプレート４０は、下端に形成された係止片４５がケース本体１０に形成された図示せぬ係止孔に進入し、かつ両側部の裏面側に設けられた被吸着部４６がケース本体１０に設置されたマグネット（図示せず）に磁力により吸着されることで機械室１０ｂの前面の開口３０を閉塞する態様で配設される。
【００４３】
図５及び図６は、それぞれ凝縮器用フィルタ５０を示すものであり、図５は前方側から見た斜視図であり、図６は後方側から見た斜視図である。
【００４４】
これら図５及び図６に示すように、凝縮器用フィルタ５０は、フィルタ本体部５１、把手部５２及びフィルタ取付金５３を備えて構成されている。
【００４５】
フィルタ本体部５１は、略矩形状の形態を成しており、２つの開口５１１ａが左右に並ぶよう形成された樹脂製のフィルタフレーム５１１に、フィルタ部５１２が保持されて構成されている。このフィルタ本体部５１は、空気の通過を許容しつつ該空気中に含まれる塵埃物を捕獲するものである。
【００４６】
把手部５２は、基端部５２１がフィルタ本体部５１の上端縁部の後面側に位置しており、該フィルタ本体部５１の上端縁部の前面側に位置するフィルタ取付金５３とでフィルタ本体部５１の上端縁部を挟み込むようにして複数（図示の例では３つ）のネジ等で螺合されて取り付けられている。この把手部５２は、基端部５２１に連続する先端部５２２が該基端部５２１の上端部より上方に向けて延在した後に前方に向けて延在し、その後に前方に向かうに連れて漸次下方に傾斜する態様で延在している。
【００４７】
フィルタ取付金５３は、図７に示すように、左右方向が長手方向となる長尺状部材であり、その左右方向の長さは、切欠部４２の左右方向の長さよりも長いものである。尚、フィルタ取付金５３の上下方向の長さは、切欠部４２の上下方向の長さよりも短いものである。このフィルタ取付金５３は、左曲部分５３１と右曲部分５３２とが形成されている。左曲部分５３１は、フィルタ取付金５３の左側部において、左方に向かうに連れて漸次前方に延在する前延部５３１ａと、前延部５３１ａの延在端部より左方に延在する左延部５３１ｂとを有している。右曲部分５３２は、フィルタ取付金５３の右側部において、右方に向かうに連れて漸次前方に延在する前延部５３２ａと、前延部５３２ａの延在端部より右方に延在する右延部５３２ｂとを有している。このように左曲部分５３１及び右曲部分５３２が形成されることで、フィルタ取付金５３の前後方向（厚み方向）の長さが十分な大きさとされている。
【００４８】
このような構成を有する凝縮器用フィルタ５０は、次のようにしてキックプレート４０の支持部４３に支持される。
【００４９】
凝縮器用フィルタ５０は、図８に示すように、切欠部４２から挿入され、フィルタ本体部５１の下端部の一部が支持部４３の左側右延部４３１ｂ及び右側左延部４３２ｂと摺接する。そして、フィルタ本体部５１の下端部が左側右延部４３１ｂ及び右側左延部４３２ｂに摺接した状態で凝縮器用フィルタ５０が徐々に切欠部４２から挿入されていくと凝縮器用フィルタ５０は湾曲するように撓む。その後、フィルタ本体部５１の下端部が、図９及び図１０に示すように、支持片４４に載置されると、凝縮器用フィルタ５０は、湾曲した状態から自身の復元力により元の状態に戻り、把手部５２が切欠部４２から露出された状態で支持部４３に支持される。またこの場合において、フィルタ取付金５３の左曲部分５３１及び右曲部分５３２が切欠部４２の下縁部と当接する。つまり、凝縮器用フィルタ５０においては、フィルタ取付金５３の下端部と、フィルタ本体部５１の下端部との離間距離は、フィルタ本体部５１の下端部が支持片４４に載置される場合にフィルタ取付金５３の一部の下端部が切欠部４２の下縁部に当接可能な大きさに調整されている。
【００５０】
そして、凝縮器用フィルタ５０は、通風孔４１と凝縮器２６との間で支持部４３により支持され、キックプレート４０の通風孔４１を通過する空気がフィルタ本体部５１（フィルタ部５１２）を通過するように配設される。これにより、凝縮器用フィルタ５０は、凝縮器２６の目詰まりを抑制することができる。
【００５１】
その一方、このように支持部４３に支持される凝縮器用フィルタ５０は、次のようにして取り出される。
【００５２】
すなわち、把手部５２が作業者によって把持されて斜め前方に向けて引き抜かれることで、凝縮器用フィルタ５０は、フィルタ本体部５１の下端部が左側右延部４３１ｂ及び右側左延部４３２ｂに摺接しながら、切欠部４２を通じて外部に取り出されることとなる。
【００５３】
上記機械室１０ｂには、ドレン水処理装置６０が設けられている。図１１〜図１３は、それぞれドレン水処理装置６０を示すものであり、図１１は前方から見た場合を示す斜視図、図１２は左側面図、図１３は背面図である。ここで例示するドレン水処理装置６０は、ドレン皿６１と、フロートスイッチ６２と、解除機構７０とを備えて構成されている。
【００５４】
ドレン皿６１は、機械室１０ｂにおける右側の底部に設置されるものである。このドレン皿６１は、収納室１２と機械室１０ｂとを区画する断熱底部１５に設けられたドレン案内部３４を通じて案内されたドレン水を貯留するためのものである。
【００５５】
ドレン案内部３４は、ドレン用配管３４１及びドレンガイド３４２を備えて構成されている。ドレン用配管３４１は、上記断熱底部１５を上下方向に沿って貫通する態様で形成されている。このドレン用配管３４１の上部開口は入口となっており、当該入口がケース本体１０の収容室１０ａ（下方ダクト２１ａ）に連通している。一方、ドレン用配管３４１の下部開口は出口となっている。このようなドレン用配管３４１は、入口から導入したドレン水を通過させて出口より排出するものである。
【００５６】
ドレンガイド３４２は、断熱底部１５の下面においてドレン用配管３４１の出口を覆うように設けられている。このドレンガイド３４２は、ドレン用配管３４１の出口より排出されたドレン水を、自身に形成された滴下口３４２ａより下方に向けて滴下させるものである。
【００５７】
上記ドレン皿６１には、ドレンシート６１１（図１参照）が立設されている。ドレンシート６１１は、ドレン皿６１にドレン案内部３４を通じて案内されて貯留されたドレン水を毛管現象により吸引するものである。尚、ドレン皿６１の後方側には送風ファン３５が設けられている。
【００５８】
フロートスイッチ６２は、従来公知のものであり、異形状の取付板部６３に外部に突出する態様で取り付けられている。この取付板部６３は、機械室１０ｂの底部、すなわちドレン皿６１の設置個所の右方側に立設された支持板部６４の前面６４ａに対して前後方向に延在する軸部６５の軸心回りに揺動可能に配設されている。これにより、フロートスイッチ６２は、取付板部６３を介して支持板部６４に揺動可能に配設されている。そして、フロートスイッチ６２は、取付板部６３がフリーな状態となる常態においては、自身が下方となる検知状態となるものである。
【００５９】
このようにフロートスイッチ６２は、検知状態となる場合、ドレン皿６１の内部、すなわちドレン皿６１の上部と底部との間に位置することとなる。つまり、フロートスイッチ６２が検知状態となる場合には、ドレン皿６１の底部より所定の高さに位置することとなる。そのため、フロートスイッチ６２は、ドレン皿６１に貯留されたドレン水の水面高さが所定高さ以上となる場合には、水があることを検知することとなる。これにより、フロートスイッチ６２は、ドレン皿６１に貯留されるドレン水が予め決められた基準量以上であることを検知するものである。
【００６０】
このようなフロートスイッチ６２が取り付けられた取付板部６３には、該フロートスイッチ６２の右方側上部となる個所にマグネット６６ａを保持する保持部６６が取り付けられている。
【００６１】
解除機構７０は、解除羽根部７０ａと解除支持部７０ｂとを備えて構成されている。解除羽根部７０ａは、例えば鋼板等により構成されるもので、作用片部７１と当接片部７２とが一体的に形成されている。作用片部７１は、図１４に示すように、平板状部位であり、その右端部は下方に屈曲されている。また、作用片部７１の左方には切欠７１ａが形成されている。この切欠７１ａは、後述するが、上記保持部６６の進入を許容するためのものである。
【００６２】
当接片部７２は、作用片部７１の前端部より、該作用片部７１が水平面となる場合には、前方に向かうに連れて漸次下方に傾斜する態様で延在する部位である。つまり、当接片部７２は、作用片部７１と互いの下面同士が鈍角を成している。また、当接片部７２の前後方向の長さは、作用片部７１の前後方向の長さよりも短いものである。
【００６３】
かかる解除羽根部７０ａにおいては、作用片部７１と当接片部７２との境界部分において左右方向に沿って複数（図示の例では５つ）の矩形状の係合孔７３が所定間隔毎に形成されている。
【００６４】
解除支持部７０ｂは、解除羽根部７０ａと同様に、例えば鋼板等により構成されるものである。この解除支持部７０ｂは、図１１及び図１３に示すように、上方に向かう上延部７４に略Ｌ字状の締結片８０が螺合されており、かかる締結片８０が機械室１０ｂの天板８１、すなわち上記断熱底部１５に取り付けられた天板８１に螺合されることで、取付板部６３の前方側上方部分に設けられている。この解除支持部７０ｂの上延部７４には、図１５に示すように、その中央部分において複数（図示の例では５つ）の矩形状の係合突片７５が上記係合孔７３と等しい間隔で形成されている。
【００６５】
このような解除機構７０においては、解除支持部７０ｂに形成された係合突片７５が解除羽根部７０ａに形成された係合孔７３に相対的に進入することで解除羽根部７０ａは解除支持部７０ｂに支持されており、フロートスイッチ６２が検知状態となる場合には、解除羽根部７０ａは、作用片部７１が後方に向かうに連れて漸次下方に傾斜した姿勢となっている。
【００６６】
このようなドレン水処理装置６０においては、ドレン皿６１に貯留されたドレン水を排出する場合、キックプレート４０を取り外して機械室１０ｂの前面の開口３０を開放する。そして、作業者の手指等により取付板部６３を上方に揺動させて、フロートスイッチ６２をドレン皿６１の内部から離脱させる。そして、図１６〜図１８に示すように、取付板部６３に取り付けられた保持部６６のマグネット６６ａが解除羽根部７０ａを構成する作用片部７１の切欠７１ａに進入して機械室１０ｂの天板８１に磁力により吸着することにより、フロートスイッチ６２をドレン皿６１の上部より上方側に退避した退避状態にさせる。これにより、保持部６６は、フロートスイッチ６２を退避状態に保持するものである。
【００６７】
このようにフロートスイッチ６２が退避状態となる場合、解除機構７０においては、解除羽根部７０ａの作用片部７１が取付板部６３に下方より当接されて押圧されることにより、該解除羽根部７０ａの係合孔７３と解除支持部７０ｂの係合突片７５との接する部分を軸心として、解除羽根部７０ａは作用片部７１が上方に向かうよう揺動し、該作用片部７１が取付板部６３と天板８１とに挟まれた姿勢となる。つまり、解除機構７０は、保持部６６によるフロートスイッチ６２の退避状態の保持を許容している。
【００６８】
このようにして機械室１０ｂの前面の開口３０が開放され、かつフロートスイッチ６２が退避状態に保持されることにより、ドレン皿６１を機械室１０ｂの外部に取り出せることができ、これによりドレン皿６１に貯留されたドレン水を排出することができる。
【００６９】
その後、ドレン水を排出したドレン皿６１を機械室１０ｂの所定個所に設置して、作業者が保持部６６の磁力に打ち勝つ力で取付板部６３を下方に向けて揺動させることで、フロートスイッチ６２を再び検知状態にさせることができる。これにより解除機構７０の解除羽根部７０ａは、該解除羽根部７０ａの係合孔７３と解除支持部７０ｂの係合突片７５との接する部分を軸心として、作用片部７１が下方に向かうよう揺動し、作用片部７１が後方に向かうに連れて漸次下方に傾斜した姿勢となる。そして、機械室１０ｂの前面の開口３０をキックプレート４０で閉塞することにより元の状態に戻すことができる。
【００７０】
ところで、ドレン水を排出したドレン皿６１を機械室１０ｂの所定個所に設置した後に、フロートスイッチ６２を検知状態にさせずに機械室１０ｂの前面の開口３０をキックプレート４０で閉塞してしまった場合、図１９に示すように、作用片部７１が取付板部６３と天板８１とに挟まれた姿勢となる解除羽根部７０ａの当接片部７２の先端にキックプレート４０の上端部分が当接する。
【００７１】
このように当接片部７２の先端にキックプレート４０の上端部分が当接することにより、解除羽根部７０ａは、該解除羽根部７０ａの係合孔７３と解除支持部７０ｂの係合突片７５との接する部分を軸心として、作用片部７１が上方に向かうよう揺動しようとするが、機械室１０ｂの天板８１により規制されている。そのため、キックプレート４０の上端部分から受ける力のうち下方に向かう分力が作用して、解除羽根部７０ａは、下方に向けて略平行に変位する。
【００７２】
このように解除羽根部７０ａが下方に向けて略平行に変位する結果、保持部６６のマグネット６６ａと天板８１との磁力による吸着が解除され、取付板部６３が下方に向けて揺動して、フロートスイッチ６２を再び検知状態にさせることができる。
【００７３】
そして、解除羽根部７０ａは、図２０に示すように、該解除羽根部７０ａの係合孔７３と解除支持部７０ｂの係合突片７５との接する部分を軸心として、作用片部７１が下方に向かうよう揺動し、作用片部７１が後方に向かうに連れて漸次下方に傾斜した姿勢となり、元の状態に戻すことができる。
【００７４】
以上説明したように、上記ショーケースによれば、吹出口２４を構成するハニカム構造の整流部材２４２の前面及び後面に前面補強用シート体２４３及び後面補強用シート体２４５が貼付されているので、長尺状であって軟質な樹脂材料から形成される整流部材２４２の強度を向上させることができる。そのため、かかる整流部材２４２の着脱操作を伴う作業を簡易なものとすることができる。
【００７５】
また上記ショーケースによれば、整流部材２４２は、前面補強用シート体２４３に取り付けられたマグネット部材２４４が磁力により前側の支持部材２４１ａに吸着され、かつ後面補強用シート体２４５の下延部分２４５ａが垂下状態となるよう後側の支持部材２４１ｂに支持されているので、下延部分２４５ａを把手として引っ張ることにより、容易に整流部材２４２を取り外すことができるとともに、マグネット部材２４４による吸着力により、容易に整流部材２４２を取り付けることができる。
【００７６】
上記キックプレート４０によれば、通風領域４０ａの上方部分に形成された切欠部４２が、凝縮器用フィルタ５０を挿入させ、支持部４３が、通風孔４１と凝縮器２６との間にて切欠部４２を通じて挿入された凝縮器用フィルタ５０のフィルタ本体部５１を支持するので、キックプレート４０を取り外すことなく、凝縮器用フィルタ５０の着脱を容易に行うことができる。そのため、凝縮器用フィルタ５０の清掃頻度の向上を図ることができ、圧縮機や凝縮器２６の冷凍機器の運転効率の向上を図ることができる。特に、切欠部４２の下縁部は、支持部４３がフィルタ本体部５１を支持する場合に、フィルタ取付金５３の左曲部分５３１及び右曲部分５３２に当接するので、キックプレート４０とフィルタ取付金５３との接触音により凝縮器用フィルタ５０が取り付けられたことを判断させることができる。
【００７７】
また上記キックプレート４０によれば、切欠部４２が通風領域４０ａの上方側にて左右方向が長手方向となる態様で形成されているので、凝縮器用フィルタ５０を下方に向けて切欠部４２に挿入させて支持部４３に支持させることができるとともに、該凝縮器用フィルタ５０を上方に向けて引き出すことができるので、ケース本体１０の下方域に機械室１０ｂが設置されることを考慮すれば、作業性を良好なものとすることができる。
【００７８】
更に上記キックプレート４０によれば、把手部５２が切欠部４２から露出されるよう支持部４３が支持するので、作業者は把手部５２を把持することで凝縮器用フィルタ５０を容易に取り出すことができ、これによっても作業性を向上させることができる。
【００７９】
上記ドレン水処理装置６０によれば、保持部６６がフロートスイッチ６２を退避状態に保持するので、作業者はフロートスイッチ６２を退避状態にさせれば、フロートスイッチ６２を退避状態に維持させるような操作を行う必要がなく、ドレン皿６１を機械室１０ｂから容易に取り出すことができる。しかも、保持部６６がフロートスイッチ６２を退避状態に保持する場合に、キックプレート４０を装着した場合、解除機構７０を構成する解除羽根部７０ａが保持部６６のマグネット６６ａと天板８１との磁力による吸着を解除させてフロートスイッチ６２を検知状態にさせるので、フロートスイッチ６２を検知状態に戻すことを忘れてキックプレート４０を装着した場合にもフロートスイッチ６２を検知状態にさせることができる。従って、ドレン水の排出作業を簡易なものとすることができる。
【００８０】
以上、本発明の好適な実施の形態について説明したが、本発明はこれに限定されるものではなく、種々の変更を行うことができる。
【００８１】
上述した実施の形態では、整流部材２４２は、前面補強用シート体２４３に取り付けられたマグネット部材２４４による吸着力を利用して支持部材２４１に支持されていたが、本発明はこれに限定されるものではなく、次のような構成であってもよい。すなわち、図２１に示すように、整流部材２４２の前面及び後面には、前面補強用シート体２４３′及び後面補強用シート体２４５′が貼付されており、更に整流部材２４２には、前面補強用シート体２４３′の前面側において、前方に突出する突部２４６ａを有したワイヤー２４６が取り付けられていてもよい。このような構成によればワイヤー２４６の突部２４６ａが前側の支持部材２４１ａ′に形成された凹部２４７に進入して嵌合するようにして、前側の支持部材２４１ａ′及び後側の支持部材２４１ｂに挟持される態様で支持されてもよい。この場合には、上記実施の形態のような下延部分２４５ａを必要とせず、全体としてスリムな形状にすることができる。
【００８２】
上述した実施の形態では、整流部材２４２は、前面補強用シート体２４３に取り付けられたマグネット部材２４４による吸着力を利用して支持部材２４１に支持されていたが、本発明においては、マグネット部材２４４は前面補強用シート体２４３ではなくて後面補強用シート体２４５に設けられていてもよいし、前面補強用シート体２４３及び後面補強用シート体２４５の両方に設けられていてもよい。
【００８３】
上述した実施の形態では、キックプレート４０の切欠部４２の下縁部は、支持部４３がフィルタ本体部５１を支持する場合に、フィルタ取付金５３の左曲部分５３１及び右曲部分５３２に当接していたが、本発明においては、凝縮器用フィルタ５０のいずれかの個所に当接、つまり、凝縮器用フィルタ５０のいずれかの構成要素に当接してもよい。
【００８４】
図２２は、本発明の実施の形態であるキックプレートの変形例を示す説明図である。この図２２に示すように、キックプレート４０′は、通風領域４０ａを含む前面４０ｂが上方に向かうに連れて漸次前方に傾斜する態様で形成されている。
【００８５】
このようにキックプレート４０′の前面４０ｂが傾斜する態様で形成されていることで、キックプレート４０′の上端部がケース本体１０の前面よりも距離Ｌだけ前方に位置することとなり、キックプレート４０′の上端部とケース本体１０との間に距離Ｌだけの隙間Ｓを得ることができる。かかる隙間Ｓを得る結果、凝縮器用フィルタ５０を上方から切欠部４２を通じて容易に挿入させることができ、図２３に示すように、凝縮器用フィルタ５０を支持部４３で支持させることができる。
【００８６】
また、上記隙間Ｓが得られることにより、図２３に示すように支持部４３に支持された凝縮器用フィルタ５０を、該隙間Ｓを通じて斜め上方に向けて引っ張り出すことにより、凝縮器用フィルタ５０をキックプレート４０′から容易に取り出すことができる。
【符号の説明】
【００８７】
１０  ケース本体
１０ａ  収容室
１０ｂ  機械室
１１  前面開口
１２  収納室
１３  商品陳列棚
２０  空気通路
２２  循環ファン
２３  吸込口
２４  吹出口
２４１  支持部材
２４２  整流部材
２４３  前面補強用シート体
２４４  マグネット部材
２４５  後面補強用シート体
２４５ａ  下延部分
２５  蒸発器
２６  凝縮器
３０  開口
４０  キックプレート
４０ａ  通風領域
４１  通風孔
４２  切欠部
４３  支持部
５０  凝縮器用フィルタ
５１  フィルタ本体部
５２  把手部
５３  フィルタ取付金
５３１  左曲部分
５３２  右曲部分
６０  ドレン水処理装置
６１  ドレン皿
６２  フロートスイッチ
６６  保持部
７０  解除機構
７０ａ  解除羽根部
７０ｂ  解除支持部
【図１】
0006686311.tif 000002
【図２】
0006686311.tif 000003
【図３】
0006686311.tif 000004
【図４】
0006686311.tif 000005
【図５】
0006686311.tif 000006
【図６】
0006686311.tif 000007
【図７】
0006686311.tif 000008
【図８】
0006686311.tif 000009
【図９】
0006686311.tif 000010
【図１０】
0006686311.tif 000011
【図１１】
0006686311.tif 000012
【図１２】
0006686311.tif 000013
【図１３】
0006686311.tif 000014
【図１４】
0006686311.tif 000015
【図１５】
0006686311.tif 000016
【図１６】
0006686311.tif 000017
【図１７】
0006686311.tif 000018
【図１８】
0006686311.tif 000019
【図１９】
0006686311.tif 000020
【図２０】
0006686311.tif 000021
【図２１】
0006686311.tif 000022
【図２２】
0006686311.tif 000023
【図２３】
0006686311.tif 000024